(57)【要約】【課題】インターネット網を利用して通話を行うインターネット電話を利用して、着信側の選択により親機から子機への通話自動転送を行うことを可能とするインターネット電話システムを提供すること。【解決手段】インターネット網に接続された電話端末装置は、無線通信等によって第２の電話端末装置への通話の自動転送機能を有すると共に、自動転送が可能か否かを判別する判別手段を有する。すなわち、親機３００のメイン処理部３０６は、相手方親機からの呼び制御情報中に自己の子機のＩＤが含まれているかを判別する。その結果、ＩＤが含まれていれば、当該ＩＤに対応する子機４００に通話を自動転送する。ＩＤが含まれていなければ、親機にて呼び接続を行い、手動にて発呼先の子機に通話を転送する。【選択図】　図１
2004135006.tif 000002
【特許請求の範囲】
【請求項１】
自己の子機電話端末装置と通信を行うための第１の通信手段と、
インターネットを介して他の親機電話端末装置と通信を行うための第２の通信手段と、
前記自己の子機電話端末装置を識別するための識別情報を、前記他の親機電話端末装置に送信する送信手段と
を備えることを特徴とする親機電話端末装置。
【請求項２】
請求項１において、
前記送信手段は、前記自己の子機電話端末装置からの要求に応じて、当該子機電話端末装置を識別するための識別情報を送信することを特徴とする親機電話端末装置。
【請求項３】
請求項２において、
前記送信手段は、前記自己の子機電話端末装置に対し、当該子機電話端末装置を識別するため識別情報を送信するか否かを問い合せる問合せ手段を含むことを特徴とする親機電話端末装置。
【請求項４】
自己の親機電話端末装置と通信を行うための通信手段と、
前記親機電話端末装置に対し、通信相手である他の親機電話端末装置に前記子機電話端末装置を識別するための識別情報を送信することを要求する要求手段とを備えることを特徴とする子機電話端末装置。
【請求項５】
自己の子機電話端末装置と通信を行うための第１の通信手段と、
インターネットを介して他の親機電話端末装置と通信を行うための第２の通信手段と、
前記他の親機電話端末装置から受信した呼制御用情報に、当該他の親機電話端末装置側の子機を識別するための識別情報が含まれている場合に、前記識別情報を記憶し、および／若しくは、着呼先である前記自己の子機電話端末装置に前記識別情報を転送し、当該子機電話端末装置にこれを記憶させる識別情報記憶転送手段と
を備えることを特徴とする親機電話端末装置。
【請求項６】
請求項５において、
前記識別情報記憶転送手段は、前記呼制御用情報を解析し、前記他の親機電話端末装置側の子機を識別するための識別情報を抽出する抽出手段を含むことを特徴とする親機電話端末装置。
【請求項７】
自己の子機電話端末装置と通信を行うための第１の通信手段と、
インターネットを介して他の親機電話端末装置と通信を行うための第２の通信手段と、
発呼先の子機電話端末装置を識別するための識別情報を呼制御用情報に含めて、前記他の親機電話端末装置に送信する送信手段と
を備えることを特徴とする親機電話端末装置。
【請求項８】
請求項７において、
前記送信手段は、自己の子機電話端末装置から受信した発呼先子機電話端末装置を識別するための識別情報を、前記呼制御用情報に含めて、前記他の親機電話端末装置に送信することを特徴とする親機電話端末装置。
【請求項９】
自己の子機電話端末装置と通信を行うための第１の通信手段と、
インターネットを介して他の親機電話端末装置と通信を行うための第２の通信手段と、
前記他の親機電話端末装置から受信した呼制御用情報に含まれた子機を識別するための識別情報に対応する前記自己の子機電話端末装置に、着信情報を自動転送する着信情報転送手段と
を備えることを特徴とする親機電話端末装置。
【請求項１０】
請求項９において、前記着信情報転送手段は、自己の子機電話端末装置を識別するための識別情報を記憶する記憶手段と、
前記他の親機電話端末装置から受信した呼制御用情報から発呼先子機を識別するための識別情報を抽出する抽出手段と、
抽出した前記識別情報が記憶手段中に存在するかを判別する判別手段とを含むことを特徴とする親機電話端末装置。
【発明の詳細な説明】
【０００１】
【発明の属する技術分野】
本発明は、インターネット網を利用して通話を行うインターネット電話において、着信先を選択することによって、親機から子機への自動通話転送を実現するものである。
【０００２】
【従来の技術】
従来、家庭において電話機の親機から子機へ通話を転送する場合、手動で転送用のボタンを押すことによって転送を行うことが一般的であった。
【０００３】
ＩＳＤＮなどでは、サブアドレスのような指定された識別情報に従って通話を自動転送するサービスもあり、着信電話番号と転送先を電話機に予め登録しておくことにより、登録内容に従って他の電話や携帯電話へ自動転送を行うことも可能であった。
【０００４】
尚、特許文献１では、送信元のメールアドレスと着信通知先の子機識別番号を対応付けることにより、メールの着信を対応する子機へ通知するシステムが開示されている。
【０００５】
【特許文献１】
特開２００１−３０９０７２号公報
【０００６】
【発明が解決しようとする課題】
従来の親機から子機への通話転送の方法においては、着信がある度に、誰かが手動で転送操作をしなければならず、あるいは、自動転送が可能な電話機やサービスを利用した場合でも、あらかじめ電話機へ手動で登録のための操作や、電話会社への登録作業を行わなければならず、ユーザの作業が煩雑となるという問題があった。
【０００７】
そこで、本発明は、煩雑な操作を必要とせず、誰でも簡単に親機から子機への自動転送を可能にするインターネット電話システムを提供するものである。
【０００８】
【課題を解決するための手段】
上記課題に鑑み、本発明は、以下の特徴を有する。
【０００９】
請求項１の発明は、親機電話端末装置に関するものであって、自己の子機電話端末装置と通信を行うための第１の通信手段と、インターネットを介して他の親機電話端末装置と通信を行うための第２の通信手段と、前記自己の子機電話端末装置を識別するための識別情報を、前記他の親機電話端末装置に送信する送信手段とを備えることを特徴とする。
【００１０】
請求項２の発明は、請求項１に記載の親機電話端末装置であって、前記送信手段は、前記自己の子機電話端末装置からの要求に応じて、当該子機電話端末装置を識別するための識別情報を送信することを特徴とする。
【００１１】
請求項３の発明は、請求項２に記載の親機電話端末装置であって、前記送信手段は、前記自己の子機電話端末装置に対し、当該子機電話端末装置を識別するため識別情報を送信するか否かを問い合せる問合せ手段を含むことを特徴とする。
【００１２】
請求項４の発明は、子機電話端末装置に関するものであって、自己の親機電話端末装置と通信を行うための通信手段と、前記親機電話端末装置に対し、通信相手である他の親機電話端末装置に前記子機電話端末装置を識別するための識別情報を送信することを要求する要求手段とを備えることを特徴とする。
【００１３】
請求項５の発明は、親機電話端末装置に関するものであって、自己の子機電話端末装置と通信を行うための第１の通信手段と、インターネットを介して他の親機電話端末装置と通信を行うための第２の通信手段と、前記他の親機電話端末装置から受信した呼制御用情報に、当該他の親機電話端末装置側の子機を識別するための識別情報が含まれている場合に、前記識別情報を記憶し、および／若しくは、着呼先である前記自己の子機電話端末装置に前記識別情報を転送し、当該子機電話端末装置にこれを記憶させる識別情報記憶転送手段とを備えることを特徴とする。
【００１４】
請求項６の発明は、請求項５に記載の親機電話端末装置であって、前記識別情報記憶転送手段は、前記呼制御用情報を解析し、前記他の親機電話端末装置側の子機を識別するための識別情報を抽出する抽出手段を含むことを特徴とする。
【００１５】
請求項７の発明は、親機電話端末装置に関するものであって、自己の子機電話端末装置と通信を行うための第１の通信手段と、インターネットを介して他の親機電話端末装置と通信を行うための第２の通信手段と、発呼先の子機電話端末装置を識別するための識別情報を呼制御用情報に含めて、前記他の親機電話端末装置に送信する送信手段とを備えることを特徴とする。
【００１６】
請求項８の発明は、請求項７に記載の親機電話端末装置であって、前記送信手段は、自己の子機電話端末装置から受信した発呼先子機電話端末装置を識別するための識別情報を、前記呼制御用情報に含めて、前記他の親機電話端末装置に送信することを特徴とする。
【００１７】
請求項９の発明は、親機電話端末装置に関するものであって、自己の子機電話端末装置と通信を行うための第１の通信手段と、インターネットを介して他の親機電話端末装置と通信を行うための第２の通信手段と、前記他の親機電話端末装置から受信した呼制御用情報に含まれた子機を識別するための識別情報に対応する前記自己の子機電話端末装置に、着信情報を自動転送する着信情報転送手段とを備えることを特徴とする。
【００１８】
請求項１０の発明は、請求項９に記載の親機電話端末装置であって、前記着信情報転送手段は、自己の子機電話端末装置を識別するための識別情報を記憶する記憶手段と、前記他の親機電話端末装置から受信した呼制御用情報から発呼先子機を識別するための識別情報を抽出する抽出手段と、抽出した前記識別情報が記憶手段中に存在するかを判別する判別手段とを含むことを特徴とする。
【００１９】
本発明の特徴は、以下に示す実施の形態の説明により更に明らかとなろう。
【００２０】
なお、請求項における「第１の通信手段」，「通信手段」は実施の形態における無線処理部３０２、４０２およびアンテナ３０１、４０１が対応する。請求項における「第２の通信手段」は実施の形態における通信制御部３０８が対応する。請求項における「送信手段」，「識別情報記憶転送手段」，「着信情報転送手段」は実施の形態におけるメイン処理部３０６が対応する。請求項における「要求手段」は実施の形態におけるメイン処理部４０４が対応する。
【００２１】
但し、以下の実施の形態は、あくまでも、本発明の一つの実施形態である。本発明ないし各構成要件の用語の定義は、以下の実施の形態に記載されたものに制限されるものではない。
【００２２】
【発明の実施の形態】
以下、本発明の実施形態について図面を参照して説明する。
【００２３】
図１は、本発明の実施形態を示すインターネット電話（以下、ＩＰ電話と呼ぶ）システムの構成を示すブロック図である。尚、同図には便宜上、親機１０１とその子機１０２ａ、１０２ｂと、通信相手先の親機２０１とその子機２０２ａ、２０２ｂを図示してある。
【００２４】
図２は、ＩＰ電話システムにおける子機と親機の構成を示すブロック図である。
【００２５】
図２を参照して、本ＩＰ電話システムの親機３００（図１における１０１、２０１）と子機４００（図１における１０２ａ、１０２ｂ、２０２ａ、２０２ｂ）のそれぞれの構成について説明する。
【００２６】
まず、親機３００の構成について説明する。
【００２７】
親機３００は、アンテナ３０１、無線処理部３０２、信号処理部３０３、コーデック処理部３０４、信号処理部３０５、メイン処理部３０６、メモリ３０７、通信制御部３０８、データ入力部３０９、音声入力部３１０、音声出力部３１１から構成されている。
【００２８】
アンテナ３０１は、電波を介して子機４００と信号を送受信する。無線処理部３０２は、Ｄ／Ａ変換処理・Ａ／Ｄ変換処理や、利用する通信方式に応じた変・復調処理を行う。信号処理部３０３、３０５は、誤り訂正処理などの信号処理を行う。コーデック処理部３０４は、音声データに対してＡ／Ｄ、Ｄ／Ａ変換および符号・復号化処理を施す。
【００２９】
メイン処理部３０６は、各処理部の制御を行うと共に、自己および通信相手を特定するための情報である電話番号やＩＰアドレス、自己および無線通信相手を識別するための無線用ＩＤ、その他各種情報を記憶する、メモリ３０７を内部に持つ。
【００３０】
ここで、自己および通信相手を特定するための情報は、通信相手を特定するための形式であれば、上記電話番号やＩＰアドレス以外に、メールアドレス形式などでも良い。
【００３１】
前記自己識別用および無線通信先の無線用ＩＤは、通信可能相手を識別するためのＩＤであり、親機、子機で共有して設定されるものである。
【００３２】
例えば、親機と子機で通信可能なグループを設定し、そのグループに対してグループＩＤを付与し、さらに、このグループ内の子機について、それぞれ固有なＩＤを付与することもできる。親機については、そのＩＤとして特別に“ＮＵＬＬ”とし、親機は同一のグループＩＤを持つ子機のそれぞれを識別しながら無線通信を行うことができる。
【００３３】
通信制御部３０８は、インターネット網（公衆網）との接続に関する通信制御を行う。データ入力部３０９は、子機への転送を指示する入力等を行うためのものである。音声入力部３１０は、話者（ユーザ）の音声を入力して処理した後、音声データを出力する。音声出力部３１１は、音声データを処理して話者に音声を出力する。
【００３４】
次に、子機４００の構成について説明する。
【００３５】
子機４００は、アンテナ４０１、無線処理部４０２、信号処理部４０３、メイン処理部４０４、メモリ４０５、データ入力部４０６、音声入力部４０７、音声出力部４０８から構成されている。
【００３６】
アンテナ４０２は、電波を介して親機３００と信号を送受信する。無線処理部４０２は、Ｄ／Ａ、Ａ／Ｄ変換処理や、利用する通信方式に応じた変・復調処理等を行う。信号処理部４０３は、誤り訂正処理などの信号処理を行う。メイン処理部４０４は、音声信号のＡ／Ｄ変換、Ｄ／Ａ変換、および各処理部の制御を行う。また、内部にメモリ４０５を備える。
【００３７】
このメモリ４０５には、自己および通信相手を特定するための情報である電話番号やＩＰアドレス，自己および無線通信相手を識別するための無線用ＩＤ，その他各種情報の他、ＩＰ電話サービスを提供するプロバイダーの情報（例えば、図１に示すサーバ１０ａ、１０ｂのアドレスなど）が格納されている。
【００３８】
データ入力部４０６は、ペン入力部やキー操作部を備え、通話相手端末のアドレス（電話番号、メールアドレス形式、各種ＩＤなど、通信相手が特定できるものであれば何でも良い）の入力や、各種コマンド等を入力する際に使用される。音声入力部４０７は、話者（ユーザ）の音声を入力して処理した後、音声データを出力する。音声出力部４０８は、音声データを処理して話者に音声を出力する。
【００３９】
次に、呼制御について説明する。
【００４０】
呼制御とは、呼接続の際に実行され、通話等の通信を行う際、通信路を制御するものであり、通信経路の確立、通信の接続・切断や通信能力（コーデックの方法、利用するプロトコル、ポート番号など）などの調整を行うものである。
【００４１】
具体的には、インターネット上での通話相手との通信経路の確立、例えば、Ａさんが契約しているＩＰ電話サービス提供会社のサーバ１０ａが、Ａさんに代わって、Ｂさんが契約しているインターネット電話サービス提供会社のサーバ１０ｂを探索し通信経路を確立し、親機１０１から送信される呼制御用データを、このサーバ１０ｂを介して親機２０１と通信を行うことや、お互いが共通して利用するコーデックなどを決定する処理をいう。この呼制御については、ＳＩＰ、Ｈ．３２３、ＭＧＣＰ、ＭＥＧＡＣＯなどのプロトコルが知られている。
【００４２】
この呼制御では、メッセージヘッダ５０１とメッセージの本体であるメッセージボディ５０２から構成される呼制御用メッセージを用いる。図３に呼制御用メッセージの一例を示す。
【００４３】
メッセージヘッダ５０１は、通信処理における基本的な情報、電子メールのヘッダと同様に、メッセージの通信における基本的な制御情報であり、発信元、着信先、メッセージボディのタイプなどから構成される。処理タイプ５０３は、通信相手の電話機と行う処理を示す。サーバアドレス５０４は、インターネット電話サービス提供会社のサーバのアドレスを示す。
【００４４】
発信元情報５０５は、自身の端末の識別情報（電話番号やメールアドレス形式など、通信相手が特定できるものであれば何でも良い）である。相手方情報５０６は、通信相手となる端末の識別情報（電話番号やメールアドレス形式など、通信相手が特定できるものであれば何でも良い）である。
【００４５】
メッセージボディタイプ５０７は、メッセージボディに記述フォーマットを指定するものであり、例えばＳＤＰ（Ｓｅｓｓｉｏｎ　Ｄｅｓｃｒｉｐｔｉｏｎ　Ｐｒｏｔｏｃｏｌ）やＭＩＭＥなどである。メッセージボディサイズ５０８は、メッセージボディのサイズである。処理識別番号５０９は、一連の関連する処理に対して付与される識別番号である。
【００４６】
その他、メッセージヘッダへの情報追加などは任意に行うことができる。また処理タイプ、着信先情報などの各情報の並び順は任意に変更可能である。
【００４７】
次にメッセージボディ５０２について説明する。
【００４８】
メッセージボディ５０２は、端末が有する通信能力情報を示し、通信する端末間で通信可能かどうかの調整を呼制御が行う際に利用する。メディアタイプ５１０は、Ａｕｄｉｏ、Ｖｉｄｅｏなどの通信を行うメディアの種別を記述する。通信ポート番号５１１は、通信を行うポート番号を記述する。コーデックタイプ５１２は、通信で利用する圧縮・伸張の方法を示す。
【００４９】
自己のＩＰアドレス５１３は、当該ＩＰ電話親機のＩＰアドレスを示す。自己のＩＤ５１４は、ＩＰ電話の親機または子機のそれぞれに割り当てられるＩＤを示す。相手のＩＤ５１５は、通信相手のＩＰ電話の親機または子機に割り当てられるＩＤを示す。
【００５０】
その他、メッセージボディ５０２への情報追加などは任意に行うことができ、またメディアタイプや通信ポート番号などの各情報の並び順は任意に変更可能である。
【００５１】
次に、ＩＰ電話の親機および子機の通話動作について説明する。
【００５２】
＜相手方子機のＩＤを利用しない通話の例＞
ＩＰ電話・子機１０２ａから相手方のＩＰ電話・子機２０２ａへ接続する場合を例として説明する。
【００５３】
図１において、Ａさん所有の子機１０２ａから、親機１０１、公衆網、相手方親機２０１を介して、Ｃさん所有の子機２０２ａへ音声通話を行う場合の説明を行う。この場合、まず、自身の親機１０１から相手方の親機２０１との呼接続を行う必要がある。
【００５４】
以下、図１、図２および、図１０のフローチャートを用いて説明する。
【００５５】
子機１０２ａ（４００）のデータ入力部４０６に相手方親機２０１の電話番号（以下、相手先電話番号と記する）を入力すると、相手方親機との呼接続（通話のための通信路が確立される状態）の処理（後述する）が開始される（Ｓ１０１）。
【００５６】
このとき、データ入力部４０６への入力は、通話相手の電話番号に限らず、通信相手を特定するための形式であれば、電話番号の他、ＩＰアドレスでもメールアドレス形式などでも良い。以下の説明では、一例として電話番号を利用する。
【００５７】
かかる相手方電話番号の入力は、データ入力部４０６に配されたキー操作部を用いて直接入力する他、例えば、図５に示すような電話番号帳をメモリ４０５に配し、この電話番号帳より“Ｃさん”を選択することによって行うことができる。
【００５８】
ここで、通話相手である“Ｃさん”に対応した各種情報を用いて行う相手方親機との呼接続について説明する。
【００５９】
データ入力部４０６から入力された相手方電話番号（＋８１−３−３４５６−７８９０）は、メイン処理部４０４へ出力される。メイン処理部４０４は、無線通信相手である自身の親機を特定するための無線用ＩＤをメモリ４０５から読み出し、相手方電話番号と組み合わせて通信用相手方電話番号データへ変換する。具体的には、無線用ＩＤを通信パケットのヘッダ情報とし、相手方電話番号をデータ部として、通信用相手方電話番号データとする。
【００６０】
そうして得た通信用相手方電話番号データは、信号処理部４０３へ出力される。信号処理部４０３は、自身の親機１０１との間の無線通信で利用される通信方式（例えば、Ｂｌｕｅｔｏｏｔｈ、ＩＥＥＥ８０２．１１ａ、ＩＥＥＥ８０２．１１ｂ、ＩＥＥＥ８０２．１１ｅ、ＩＥＥＥ８０２．１１ｇなど無線通信の規格であれば何でも良い）に応じて、ヘッダ情報や誤り訂正符号を付加するなどして、適切な通信用相手方電話番号データへ変換し、無線処理部４０２へ出力する。
【００６１】
無線処理部４０２は、利用する通信方式に応じた変調処理等を行った後、アンテナ４０１を通して、電波として通信用相手方電話番号データを送出する（Ｓ１０２）。この通信用相手方電話番号データは、自身の親機１０１のアンテナ３０１を通して、無線処理部３０２に受信される（Ｓ２０１）。
【００６２】
親機１０１の無線処理部３０２は、受信した通信用相手方電話番号データを、利用する通信方式に応じて復調処理を行い、信号処理部３０３へ出力する。信号処理部３０３は、誤り訂正符号を利用して、通信用相手方電話番号データから誤りの無い相手方電話番号と無線用ＩＤを抽出して、メイン処理部３０６へ出力する。
【００６３】
メイン処理部３０６は、入力された無線用ＩＤとメモリ３０７に記憶されている自己の無線用ＩＤとを比較し、両者が一致する場合には、続く呼制御の処理を実行する。他方、両者が一致しない場合には、接続が拒否され、その旨を通知する応答データを信号処理部３０３に出力し、無線処理部３０２を介して、発信元である子機１０２ａに返信し、本処理を終了する。
【００６４】
呼接続の処理において、メイン処理部３０６は、子機１０２ａから供給された相手方電話番号とメモリ３０７に記憶されている自己の電話番号とサーバのアドレス、自己のＩＰアドレスなどを、呼制御用データに組み込む。このとき、発信元の話者の意向により、自分の端末である子機のＩＤを相手方に知らせることもできる。
【００６５】
例えば、親機１０１は、子機１０２ａに対し、当該子機のＩＤを相手方に知らせるか否かの問い合わせを発する（Ｓ２０３）。これを受けて、ユーザが子機１０２ａに通知し、了承の入力を行うと、これが親機１０１に転送される（Ｓ１０４）。しかして、当該子機のＩＤが呼制御用データに組まれる（Ｓ２０５）。このように生成された呼制御用データは、通信制御部３０８に出力される（Ｓ２０６）。
【００６６】
このときの呼制御に用いられるデータの一例を図４に示す。
【００６７】
メッセージヘッダの処理タイプ“ＣＡＬＬＩＮＧ”は，処理識別番号“１００００”の発呼処理（例えば、電話を掛ける処理）を示し、発信元である自身の親機１０１の電話番号である“＋８１−３−３１２３−４５６７”から、相手方の親機２０１の電話番号である“＋８１−３−３４５６−７８９０”へ電話を掛けることを意味している。
【００６８】
また、サーバアドレス“１０．１２３．４５６．７８９”は、サーバ１０ａ（“ａａａ．ｃｏｍ”）のアドレスを示し、呼制御用データが、このアドレスに対して送信されることを意味し、“２００ＢＹＴＥ”のメッセージボディが“ＳＤＰ”で記述されていることを示している。
【００６９】
メッセージボディは、通信ポート番号“９０００”を通して、コーデックが“Ｇ．７１１”の“Ａｕｄｉｏ”通信を行うことを意味する。ＩＰアドレス“１０．１２３．０００．１００”は、自身の親機１０１のＩＰアドレスを示す。
【００７０】
ＩＤ“ＵｓｅｒＡ−ＴＥＬ−１”は自身である子機１０２ａを示すＩＤであり、子機１０２ａの親機１０１が生成するものである。このＩＤを用いて、次回、Ｃさん所有の子機２０２ａからＡさん所有の子機１０２ａへ電話を掛ける際に、親機１０１から子機１０２ａへの自動転送が実現される。
【００７１】
尚、図４の呼制御情報では、相手方のＩＤは“ＮＵＬＬ”である。この場合、ＮＵＬＬは、データが無い状態を示しており、よって、かかる呼制御情報によっては、転送相手を特定することが出来ないため、相手方親機２０１からその子機への自動転送は行うことはできない。その詳細は追って説明する。
【００７２】
親機１０１は、このようなＩＤを用いて記載した、図６に示すような電話番号帳をメモリ３０７に記憶する。ここでは、Ａさんの子機１０２ａのＩＤが“ＵｓｅｒＡ−ＴＥＬ−１”であることを示しており、自己の子機であるため、その電話番号は“ＮＵＬＬ”として示されている。
【００７３】
なお、このＩＤは、子機から電話をかける場合において、発信元子機によるＩＤ送付指示（図１０のＳ１０４）をうけて、親機が生成し、自己の電話番号帳に保持する。
【００７４】
また、このＩＤに有効期間を指定する情報を付加することによって、簡易的なセキュリティ機能を実現することもできる。例えば、指定された期間を経過した後、対応するＩＤを消去することにより、このＩＤを利用した自動転送（後述する）などの機能を不可にすることができる。
【００７５】
通信制御部３０８では、呼制御用データにＲＴＰ／ＴＣＰ／ＩＰヘッダ等を付加し、例えば、ＲＪ４５モジュラーインタフェースなどのインターネット網とのインタフェースを介して通信相手と呼制御を行い、呼接続を実現する。
【００７６】
次に、受信側の動作について説明する。
【００７７】
呼制御用データを受信した相手方親機２０１は、自己に内蔵するメモリ３０７に、発信元親機１０１の電話番号（＋８１−３−３１２３−４５６７）とその子機１０２ａのＩＤ（ＵｓｅｒＡ−ＴＥＬ−１）を記憶する（Ｓ３０１）。
【００７８】
呼制御により通信経路が確立し呼接続が完了すると、相手方親機２０１が呼び出される。ここで、子機に割り当てられたＩＤが設定されているか否かを判定する（Ｓ３０２）。
【００７９】
この呼制御においては、相手方親機２０１の子機２０２ａに割り当てられたＩＤを利用しないため、親機２０１に応答した人が手動で、データ入力部から子機２０２ａへ転送するための操作を行うことになる（Ｓ３０３）。
【００８０】
以上の処理により、子機１０２ａと子機２０２ａとの通信が開始される。
【００８１】
親機２０１から子機２０２ａへ転送がなされた場合、通話に先立って相手方親機２０１からその子機２０２ａに対して、親機２０１のメモリ３０７に記憶された発信元親機１０１の電話番号とその子機１０２ａのＩＤが送信される。このとき、自身の電話帳にも発信元親機１０１の電話番号とその子機１０２ａのＩＤからなるデータが作成される（Ｓ３０５）。すなわち、相手方親機２０１のメイン処理部３０６は、データ入力部３０９からの転送の操作により、メモリ３０７に記憶された発信元親機１０１の電話番号とその子機１０２ａのＩＤを抽出し、信号処理部３０３へ出力する。
【００８２】
信号処理部３０３は、メイン処理部３０６を介してメモリ３０７から読み出した親機自身の無線用ＩＤ、発信元親機１０１の電話番号、子機１０２ａのＩＤに対し、これら親機２０１と子機２０２ａとの間の無線通信で利用される通信方式に応じて、ヘッダ情報や誤り訂正符号を付加するなどして、適切な通信用電話番号データへ変換し、これを無線処理部３０２へ出力する。
【００８３】
無線処理部３０２では、これを利用する通信方式に応じた変調処理等を行った後、通信用電話番号データを、アンテナ３０１を通して電波として子機２０２ａに送出する。かかるデータは、子機２０２ａのアンテナ４０１を通して無線処理部４０２によって受信される。無線処理部４０２は、受信した通信用電話番号データに対し、利用する通信方式に応じた復調処理を行い、信号処理部４０３へ出力する。
【００８４】
信号処理部４０３は、通信用電話番号データから無線用ＩＤを抽出し、これをメイン処理部４０４に出力する。メイン処理部４０４は入力された無線用ＩＤとメモリ４０５に記憶された無線用ＩＤを比較し、両者が一致する場合に、信号処理部４０３に通信用電話番号データの処理を指示する。
【００８５】
指示を受けた信号処理部４０３は、受信した通信用電話番号データに誤り訂正を施し、通信用電話番号データから誤りの無い親機１０１の電話番号と子機１０２ａのＩＤのみを抽出してメイン処理部４０４へ出力する。メイン処理部４０４では、発信元親機１０１の電話番号と子機１０２ａのＩＤを用いて、電話帳へ子機１０２ａのＩＤを登録する（Ｓ４０１）。
【００８６】
図７は、相手方子機２０２ａの追加登録前の電話帳を示している。図８は、追加登録後の電話帳を示している。同様の電話帳は、親機２０１のメモリ３０７にも作成され、保存される。
【００８７】
引き続いて、ユーザが音声入力部４０７に対して発話を行う。このときの処理は、呼接続時における信号処理部３０３までの処理と同様である。但し、このとき扱うデータは異なる（Ｓ４０２）。
【００８８】
すなわち、発話した音声は、メイン処理部４０４でＡ／Ｄ変換などがなされた後、信号処理部４０３により、親機１０１との間の無線通信で利用される通信方式に応じて、ヘッダ情報や誤り訂正符号を付加するなどして適切な通信用音声号データへ変換され、無線処理部４０２へ出力される。無線処理部４０２では、利用する通信方式に応じた変調処理等を行った後、アンテナ４０１を通して、電波として通信用音声データを送出する。
【００８９】
この通信用音声データは、親機１０１のアンテナ３０１を通して無線処理部３０２により受信され、信号処理部３０３で処理された後、コーデック処理部３０４に出力される。
【００９０】
コーデック処理部３０４において、所定の音声コーデック方式（例えば、ＰＤＣ，ＰＨＳ，ＣｄｍａＯｎｅ、Ｗ−ＣＤＭＡ，Ｃｄｍａ４０７０などの通信方式で利用されるコーデック、あるいはＧ．７１１，Ｇ．７２９，Ｇ．７２９Ａ、Ｇ７２３．１，Ｇ．７２６，Ｇ．７２２．１、ＡＭＲ−ＷＢなど）により圧縮される。もちろん非圧縮のままでも良い。
【００９１】
コーデック処理部３０４により処理された音声データは、信号処理部３０５により、ヘッダ情報や誤り訂正符号を付加するなどして適切な音声データへ変換され、メイン処理部３０６へ出力される。その後、メイン処理部３０６にて、音声データはインターネット上で送受信するためのデータ構造（例えば、ＲＴＰヘッダ、ＵＤＰあるいはＴＣＰヘッダ、ＩＰヘッダなどが付与される）に変換される。
【００９２】
変換されたデータは、通信制御部３０８を通してインターネット網へ出力され、通話相手である親機２０１へ送信される。
【００９３】
上記のとおり、通信経路が確立された後の音声データの送信は、親機１０１を経由して行われるが、通話相手からの音声データの受信もまた親機１０１を経由して行われる。すなわち、親機１０１のメイン処理部３０６は、通信制御部３０８を通して受信した音声データから、ＲＴＰヘッダ、ＵＤＰあるいはＴＣＰヘッダ、ＩＰヘッダ等を取り除き、信号処理部３０５へ出力する。
【００９４】
信号処理部３０５は、子機１０２ａとの間の無線通信で利用される通信方式に応じて、ヘッダ情報や誤り訂正符号から、誤りのない音声部分のみを抽出し、コーデック処理部３０４へ出力する。コーデック処理部３０４は、所定の音声コーデックに応じた伸張方式により伸張処理した後、これを信号処理部３０３へ出力する。
【００９５】
信号処理部３０３は、音声データと、メイン処理部３０６を介してメモリ３０７から読み出した無線通信相手を特定するための無線用ＩＤに対し、子機１０２ａとの間の無線通信で利用される通信方式に応じて、ヘッダ情報や誤り訂正符号を付加するなどして適切な通信用音声データへ変換し、これを無線処理部３０２へ出力する。
【００９６】
無線処理部３０２は、利用する通信方式に応じた変調処理等を行った後、アンテナ３０１を通して、電波として通信用音声データを子機１０２ａに送出する。かかるデータは、子機１０２ａのアンテナ４０１を通して無線処理部４０２によって受信される。無線処理部４０２は、受信した通信用音声データに対し、利用する通信方式に応じた復調処理を行い、信号処理部４０３へ出力する。
【００９７】
信号処理部４０３は、通信用音声データから無線用ＩＤを抽出し、これをメイン処理部４０４に出力する。メイン処理部４０４は、入力された無線用ＩＤと、メモリ４０５に記憶された無線用ＩＤとを比較し、両者が一致する場合、信号処理部４０３に通信用音声データの処理を指示する。指示を受けた信号処理部４０３は、受信した通信用音声データに誤り訂正を施し、通信用音声データから誤りの無い音声部分のみを抽出して、音声データとしてメイン処理部４０４へ出力する。その後、メイン処理部４０４でＤ／Ａ変換された音声は、音声出力部４０８から出力される。
【００９８】
一方、入力された無線用ＩＤとメモリ４０５に記憶された無線用ＩＤとが一致しない場合、本処理は終了する。
【００９９】
＜相手方子機のＩＤを利用した通話の例＞
次に、登録したＩＤを利用して、Ｃさん所有の子機２０２ａから、Ａさん所有の子機１０２ａへ電話をかける処理について説明する。
【０１００】
まず前述の＜相手方子機のＩＤを利用しない通話の例＞と同様に、音声通話を行う前に子機２０２ａから相手方親機１０１との呼接続を行う。
【０１０１】
通話相手の指定は、ＩＤを利用して、子機２０２ａのデータ入力部４０６から子機１０２ａの電話番号を入力する際、図８に示す電話番号帳から“Ａさん”を選択することによって行う。このとき、呼制御に用いられる呼制御用データとして、図９に示すような呼制御用データが作成される。
【０１０２】
この呼制御用データを受信した相手方親機１０１は（図１０のＳ３０１）、メモリ３０７に保存されている電話番号帳（図６に示す）内の子機のＩＤを参照し（Ｓ３０２）、呼制御用データ中の相手のＩＤである“ＵｓｅｒＡ−ＴＥＬ−１“と同一である子機１０２ａへ転送を行う（Ｓ３０４）。これにより、子機２０２ａと子機１０２ａの呼接続が完了し、通話が可能となる。
【０１０３】
以降の動作は、上記＜相手方子機のＩＤを利用しない通話の例＞と同様である。
【０１０４】
なお、本発明は、上記実施の形態に制限されるものではなく、他に種々の変更が可能であることは言うまでもない。
【０１０５】
たとえば、上記実施の形態においては、相手方との間で通話を行う場合を例として説明したが、これに代えて、相手方との間でデータ通信を行うこともできる。
【０１０６】
また、上記実施の形態では、親機と子機との通信を無線通信としたが、これに代えて有線の通信方式を採用することもできる。
【０１０７】
その他、本発明の技術思想の範囲内で適宜、種々の変更が可能である。
【０１０８】
【発明の効果】
本発明によれば、煩雑な操作を必要とせず、誰でも簡単に親機から子機への自動転送が可能となり、もって、ユーザの更なる利便性の向上を図ることができる。
【図面の簡単な説明】
【図１】実施形態に係るインターネット電話システムの全体構成を示すブロック図である。
【図２】実施形態に係るインターネット電話システムの端末の構成を示すブロック図である。
【図３】呼制御で利用するデータフォーマットを示す図である。
【図４】呼制御で利用するデータフォーマットの一例を示す図である。
【図５】通話に関する管理情報の一例を示す図である。
【図６】通話に関する管理情報の一例を示す図である。
【図７】通話に関する管理情報の一例を示す図である。
【図８】通話に関する管理情報の一例を示す図である。
【図９】呼制御で利用するデータフォーマットの一例を示す図である。
【図１０】実施形態に係るインターネット電話システムの処理を示すフローチャートである。
【符号の説明】
３０１　アンテナ
３０２　無線処理部
３０６　メイン処理部
３０７　メモリ
３０８　通信制御部
４０１　アンテナ
４０２　無線処理部
４０４　メイン処理部
４０５　メモリ
【図１】
2004135006.tif 000003
【図２】
2004135006.tif 000004
【図３】
2004135006.tif 000005
【図４】
2004135006.tif 000006
【図５】
2004135006.tif 000007
【図６】
2004135006.tif 000008
【図７】
2004135006.tif 000009
【図８】
2004135006.tif 000010
【図９】
2004135006.tif 000011
【図１０】
2004135006.tif 000012